(57)【要約】【課題】有機ＥＬディスプレイに好適であり、また、輝度の削減の処理に伴うユーザのウェブ閲覧への支障を軽減することができる、表示装置を提供する。【解決手段】画素ごとの輝度を変更できる表示画面上の情報表示領域において、異なる領域種別それぞれに対応する対応領域を決定し、異なる領域種別それぞれに対応する対応領域の前記画素を異なる輝度により制御する。【選択図】図１
2007150894.tif 000002
【特許請求の範囲】
【請求項１】
各画素が自発光素子により構成された表示手段と、
所定の領域を選択する選択手段と、
該選択手段により選択している所定領域に対応する前記表示手段の画素と、前記選択手段により選択していない領域に対応する前記表示手段の画素の輝度を制御する制御手段と、
を備える携帯端末。
【請求項２】
前記制御手段は、前記表示手段が表示する内容に基づいて当該表示手段を複数の領域に構成し、前記選択手段により選択していない領域のうち、前記表示手段が表示する内容に基づいて構成された各領域の画素の輝度を制御することを特徴とする請求項１記載の携帯端末。
【請求項３】
前記制御手段は、前記表示手段の表示能力に基づいて当該表示手段を複数の領域に構成し、前記選択手段により選択していない領域のうち、前記表示手段の表示能力に基づいて構成された各領域の画素の輝度を制御することを特徴とする請求項１に記載の携帯端末。
【請求項４】
前記選択手段により選択する所定領域とは、所定画素数に基づいて構成される領域であることを特徴とする請求項１記載の携帯端末。
【請求項５】
前記選択手段により選択する所定領域とは、文法上の言語単位に基づいて構成される領域であることを特徴とする請求項１記載の携帯端末。
【請求項６】
前記選択手段により選択する所定領域とは、記述言語に基づいて構成される領域であることを特徴とする請求項１記載の携帯端末。
【請求項７】
前記選択手段は、カーソルの位置に基づいて所定の領域を選択することを特徴とする請求項１記載の携帯端末。
【請求項８】
前記選択手段は、アプリケーションにより構成された選択対象項目により区切られている所定の領域を選択することを特徴とする請求項１記載の携帯端末。
【発明の詳細な説明】
【技術分野】
【０００１】
本発明は、表示画面における輝度を制御する携帯端末に関する。
【背景技術】
【０００２】
近年、携帯電話装置の表示画面の表示デバイスとして、有機ＥＬディスプレイを用いることが注目されている。この有機ＥＬディスプレイは自発光型のディスプレイであり、高輝度、高視野角、超薄型という特徴を有している。また有機ＥＬ素子は単色で、緑、青、赤などの色を発光するものがあり、これらを組み合わせることでマルチカラーディスプレイを製造することができる。そして自発光型であるが故に液晶ディスプレイのようにバックライトを必要とせず、これにより薄型化することができるという特徴が得られる。しかしながら、画面全体の明るさが高い状態では消費電力が大きくなりバッテリーの消耗が早くなるという問題があった。ここで、表示領域の一部の領域のみを駆動（明るさを高く制御）し、残りの領域を非駆動にする技術が特許文献１で公開されている。この技術はＬＣＤのバックライトを複数枚に分割して駆動する領域に対応したバックライトのみを点灯するというものである。
【特許文献１】特開２００５−１５６７４６号公報
【発明の開示】
【発明が解決しようとする課題】
【０００３】
図４０は特許文献１の概要を示す第１の図である。
図４０が示すように、上述の特許文献１の技術においては、表示画面のバックライトの駆動する領域を決定し、決定した駆動領域のみバックライトを駆動する。これにより、携帯電話の消費電力を削減している。
【０００４】
しかしながら上述の特許文献１の技術では、ユーザが注視したいと思う表示領域を臨機応変に変更することができなかった。また駆動領域以外は表示されなくなるので、駆動領域以外の情報について全く認識することができなくなるという問題があった。また特許文献１の技術はＬＣＤ（Liquid Crystal Display）において表示電力を削減する技術であるが、有機ＥＬ（Electro Luminescence）ディスプレイに好適な消費電力の削減手法が望まれていた。
【０００５】
そこで本発明は、有機ＥＬディスプレイに好適であり、また、輝度の削減の処理に伴うユーザのウェブ閲覧等への支障を軽減することができる、携帯端末を提供することを目的としている。
【課題を解決するための手段】
【０００６】
上記目的を達成するために、本発明は、各画素が自発光素子により構成された表示手段と、所定の領域を選択する選択手段と、該選択手段により選択している所定領域に対応する前記表示手段の画素と、前記選択手段により選択していない領域に対応する前記表示手段の画素の輝度を制御する制御手段と、を備える携帯端末である。
【０００７】
また本発明は、前記制御手段は、前記表示手段が表示する内容に基づいて当該表示手段を複数の領域に構成し、前記選択手段により選択していない領域のうち、前記表示手段が表示する内容に基づいて構成された各領域の画素の輝度を制御することを特徴とする。
【０００８】
また本発明は、前記制御手段は、前記表示手段の表示能力に基づいて当該表示手段を複数の領域に構成し、前記選択手段により選択していない領域のうち、前記表示手段の表示能力に基づいて構成された各領域の画素の輝度を制御することを特徴とする。
【０００９】
また本発明は、前記選択手段により選択する所定領域とは、所定画素数に基づいて構成される領域であることを特徴とする。
【００１０】
また本発明は、前記選択手段により選択する所定領域とは、文法上の言語単位に基づいて構成される領域であることを特徴とする。
【００１１】
また本発明は、前記選択手段により選択する所定領域とは、記述言語に基づいて構成される領域であることを特徴とする。
【００１２】
また本発明は、前記選択手段は、カーソルの位置に基づいて所定の領域を選択することを特徴とする。
【００１３】
また本発明は、前記選択手段は、アプリケーションにより構成された選択対象項目により区切られている所定の領域を選択することを特徴とする。
【発明の効果】
【００１４】
本発明によれば、携帯端末において、有機ＥＬディスプレイに好適であり、また、輝度の削減の処理に伴うユーザのウェブ閲覧等への支障を軽減することができる表示装置を備えることができる。
【発明を実施するための最良の形態】
【００１５】
以下、本発明の一実施形態による表示装置を図面を参照して説明する。図１は同実施形態による携帯端末における表示装置の構成を示すブロック図である。この図において、符号１は携帯電話などの端末内の一機能である表示装置である。そして表示装置１はテンキーやマウスやキーボードなどから入力情報を受付ける入力部１１、表示装置内の各処理部を制御する制御部１２、表示画面上の情報表示領域全域において、各領域種別それぞれに対応する対応領域を決定する領域決定部１３、決定した対応領域の領域種別に応じて各対応領域の画素の輝度を制御する発光輝度制御部１４、発光輝度制御部１４の出力する各画素の輝度値により表示画面への表示情報の表示を制御する表示制御部１５、有機ＥＬ素子から構成される表示画面１６、各種アプリケーションプログラムやアプリケーションで表示されるコンテンツデータや明るさテーブルなどの情報を記憶するデータベース１７を備えている。なお、有機ＥＬ素子から構成される表示画面１６は、自発光素子である有機ＥＬ素子から構成される画素を縦横に多数配列してなっており、例えば２４０×３２０画素となっている。これら画素の一つ一つを発光させて、多数の画素が連続発光することにより任意の画像を形成する。一つの画素は、赤、緑、青（即ちＲＧＢ）の３つの有機ＥＬ素子により構成されており、これら有機ＥＬ素子のそれぞれの発光強度を調整することによって画素全体としての発光色を形成している。
【００１６】
そして、表示装置１は、領域決定部１３が画素ごとの輝度を変更できる表示画面１６上の情報表示領域において領域種別ごとの表示領域を決定し、発光輝度制御部１４が領域種別に応じて、各表示領域それぞれの画素を異なる輝度により制御して、コンテンツデータを表示する。ここでコンテンツデータとは、本実施形態においてはウェブブラウザで表示されるウェブページや、メールアプリケーションで表示されるメール内容などであるが、それ以外のアプリケーションプログラムによって表示されるコンテンツデータであってもよい。そして、各領域種別それぞれに対応する対応領域の決定（選択）は、表示画面においてユーザが注視していると思われる箇所をマウスポインタやカーソルや文字入力位置やコンテンツの内容などに応じて決定する。以下、本実施形態による表示装置１について、順を追って説明する。
【００１７】
＜第１の実施形態＞
図２は第１の実施形態による表示画面上の表示領域を示す図である。
第１の実施形態においては、メールアプリケーションによりメール作成画面を表示する際の表示装置１の処理について説明する。ここで、図２に示すように表示装置１は表示画面の表示領域にメール作成画面を表示する場合がある。そしてメール作成画面における表示領域は、表示する内容に基づいてタイトル・アイコン表示部、操作ガイド表示部、入力情報表示部、変換候補表示部に分割される。
【００１８】
図３はデータベースの記憶する明るさテーブルを示す図である。
この図が示すように明るさテーブルは、領域種別と、その領域種別に対応した明るさレベルとを対応付けて保持したテーブルである。領域種別とは、ユーザの操作などに応じて決定される表示領域内の異なる複数の領域の識別情報である。そして、たとえば領域種別が、カーソル領域、カーソルの前後のＮ文字の領域（又はカーソルの前後のＮ行の領域）、変換対象文字列の領域、タイトルアイコン表示部の領域、操作ガイド表示部の領域などの領域となる場合には、それらの領域種別に対応する各対応領域については、明るさレベル１の輝度により表示制御が行なわれる。また選択されている変換候補については明るさレベル０．７５の輝度により表示制御が行なわれる。また選択されていない変換候補や、カーソル前後のＮ文字（又はカーソルを含む行の前後のＮ行に含まれない文字）については明るさレベル０．５の輝度により表示制御が行なわれる。また文字が表示されていない領域については明るさレベル０の輝度により表示制御が行なわれる。
【００１９】
図４は第１の実施形態による表示装置の処理フローである。
図５は第１の実施形態による表示装置の処理概要を示す図である。
次に図４、図５を用いて第１の実施形態による表示装置１の処理について説明する。
図４より、まず、制御部１２の指示に基づいて表示制御部１５がデータベース１７に格納されているデータに基づくメール作成画面を表示画面に表示する。この際領域決定部１３は、当該メール作成画面におけるタイトル・アイコン表示部を決定する（ステップＳ１０１）。また領域決定部１３は、当該メール作成画面における操作ガイド表示部を決定する（ステップＳ１０２）。なおメール作成画面におけるタイトル・アイコン表示部に対応する領域の情報（例えば座標など）、メール作成画面における操作ガイド表示部に対応する領域の情報は、予めデータベースなどに格納されており、この情報に基づいて各領域が決定される。
【００２０】
次に制御部１２は、入力部１１から受付ける情報に基づいて、ユーザ操作が入力されたか否かを常時判定する（ステップＳ１０３）。入力部１１から受付ける情報はキーボードやテンキーなどで押下されたボタンの情報などである。そして制御部１２は、入力部１１から受付けた情報に基づいて文字変換中であるか否かを判定する（ステップＳ１０４）。そして文字変換中である場合には、領域決定部１３がその変換対象文字列の表示領域を決定する（ステップＳ１０５）。次に領域決定部１３は、変換対象文字列の隣接する前後のＮ行（又は前後のＮ文字）の表示領域を決定する（ステップＳ１０６）。さらに領域決定部１３は変換対象文字列に対する変換候補の表示領域（メール作成画面の変換候補表示部）を決定する（ステップＳ１０７）。そして領域決定部１３は変換候補において選択されていない変換候補の表示領域を決定する（ステップＳ１０８）。
【００２１】
次に、ステップＳ１０４において入力部１１から受付けた情報に基づいて文字変換中でないと判定した場合またはステップＳ１０８の後、領域決定部１３はカーソル及びカーソルの前後のＮ文字（またはカーソルが含まれる行を基準として当該行に隣接する前後Ｎ行）の表示領域を決定する（ステップＳ１０９）。また領域決定部１３はカーソルの前後のＮ文字に含まれない文字列（またはカーソルが含まれる行を基準として当該行に隣接するＮ行に含まれない文字列）の表示領域を決定する（ステップＳ１１０）。次に、領域決定部１３は文字を表示しない領域を決定する（ステップＳ１１１）。以上の処理により、各領域種別に応じた表示領域が決定される。
【００２２】
次に、発光輝度制御部１４は、領域種別に応じた輝度値を明るさテーブルから読み取る。そして、電子メール作成画面における異なる領域種別それぞれの表示領域について、例えば、元の輝度に輝度値を乗算し、異なる領域種別それぞれの表示領域についての新たな輝度を算出する（ステップＳ１１２）。そして、その輝度により、電子メール作成画面を表示する（ステップＳ１１３）。
【００２３】
次に、図５より、ａ１で示す電子メール作成画面は、入力情報表示部に文字が入力されておらず、カーソルだけが表示されている場合のイメージを示す図である。このとき、タイトル・アイコン表示部と、操作ガイド表示は、輝度値が１であるので、元の電子メール作成画面と同一輝度で表示される。また入力情報表示部や変換候補表示部では  文字が表示されていないため輝度値が０である。従って、画面が暗く表示される。ａ２で示す電子メール作成画面は、入力情報表示部に「ほんじつの」という文字列が入力されており、当該文字列が変換対象中であるので輝度値は１である。従って、元の画面どおり明るく表示される。ａ３で示す電子メール作成画面は、ユーザが入力文字列のカナ漢字変換を指示した場合の例であり、変換候補表示部に表示される変換候補のうち選択されている変換候補が輝度値０．７５、変換候補のうち選択されていない変換候補が輝度値０．５で表示されている。
【００２４】
またａ４で示す電子メール作成画面は、変換候補の選択変更があった場合の例を示している。「ほんじつの」から「本日の」へ変換候補の選択が変更された場合には、変換候補表示部に表示されている「本日の」の文字列が輝度値０．７５、「ほんじつの」および「ホンジツノ」の各文字列が輝度値０．５で表示される。またユーザが文字を入力するに従って、入力行が増えるが、ａ５、ａ６の電子メール作成画面においては、カーソルが含まれる行と当該行に隣接する前1行について輝度値１．０により表示される。なお、隣接する前１行だけでなく、カーソルを基準として前後Ｎ行を輝度値１．０にしてもよいし、またカーソルを基準として前Ｎ文字を輝度値１．０としてもよく、または後ろＮ文字を輝度値１．０としてもよく、または前後Ｎ文字を輝度値１．０としてもよい。
【００２５】
以上の処理により、ユーザにより選択された文字入力の領域や、変換候補の表示領域など、ユーザが注視する範囲の領域について明るく表示され、また他のユーザが注視（選択）しない部分については輝度を下げている。また文字が表示されている領域であってユーザが注視していない領域については輝度を制限するだけで、ユーザに閲覧可能に表示されるているので、ユーザの入力作業に支障がでないよう輝度の制限をするとともに、その輝度の制限により消費電力を制限することができる。
【００２６】
＜第２の実施形態＞
図６は第２の実施形態による表示画面上の表示領域を示す図である。
第２の実施形態においては、メールアプリケーションによりメール閲覧画面を表示する際の表示装置１の処理について説明する。ここで、図６に示すように表示装置１はユーザの操作に基づいて表示画面上の表示領域にメール閲覧画面を表示する。そしてメール閲覧画面は、メール内容表示部と操作ガイド表示部に分割される。
【００２７】
図７は第２の実施形態における明るさテーブルを示す図である。
明るさテーブルは、領域種別と、その領域種別に対応した明るさレベルとを対応付けて保持している。そしてメール閲覧画面においては、ユーザ注視エリアの領域、非ユーザ注視エリアの領域、操作ガイド表示部の領域、文字が表示されていない領域、の各領域種別についての明るさレベルが保持されている。そして、ユーザ注視エリアの領域、操作ガイド表示部の領域については明るさレベル１の輝度により表示制御が行なわれる。また非ユーザ注視エリアの領域については明るさレベル０．５の輝度により表示制御が行なわれる。また文字が表示されていない領域については明るさレベル０の輝度により表示制御が行なわれる。
【００２８】
図８は第２の実施形態による表示装置の処理イメージを示す図である。
図８では、メール閲覧画面のメール内容表示部が表示分割エリア（領域）１、２、３に分割される際のイメージを示している。ｂ１は表示分割エリアが行単位で分割される際のイメージを示しており、またｂ２は表示分割エリアがピクセル単位で分割される際のイメージを示しており、またｂ３はがピクセル単位で分割された表示分割エリアが隣接するエリアと重なる際のイメージを示している。表示部における表示分割エリアは、ｂ１、ｂ２、ｂ３のいずれかの形態であればよい。なお、本実施形態において表示分割エリアはメール内容表示部を３つに分割するエリアであるが、３つでなくとも、表示部の表示能力（サイズや表示行数など）に基づいて複数に分割されればよい。
【００２９】
図９はユーザ注視エリアを説明する図である。
この図が示すように、メール閲覧画面はメール内容表示部が表示分割エリア１、表示分割エリア２、表示分割エリア３に分割される。そして、ユーザからの選択指示を入力部１１から受付けることにより、表示分割エリア１〜３のどのエリアがユーザ注視エリアかを決定する。ｃ１は表示分割エリア１がユーザ注視エリアで表示分割エリア２、３が非ユーザ注視エリアである状態を示している。メール閲覧画面が表示画面に表示される最初の状態はｃ１の状態で表示される。またｃ２は表示分割エリア２がユーザ注視エリアで表示分割エリア１、３が非ユーザ注視エリアである状態を示している。ｃ３は表示分割エリア３がユーザ注視エリアで表示分割エリア１、２が非ユーザ注視エリアである状態を示している。そしてユーザ注視エリアの領域は明るさレベル１の輝度により表示制御が行なわれ、また非ユーザ注視エリアの領域は明るさレベル０．５の輝度により表示制御が行なわれる。
【００３０】
図１０は第２の実施形態による表示装置の第１の処理フローを示す図である。
図１１は第２の実施形態による表示装置の第２の処理フローを示す図である。
次に図１０、図１１を用いて第２の実施形態による表示装置１の処理について説明する。
図１０より、まず、制御部１２の指示に基づいて表示制御部１５がデータベース１７に格納されているメール閲覧画面を表示画面に表示する。この際領域決定部１３は、当該メール閲覧画面におけるメール内容表示部の一番上の表示分割エリアをユーザ注視エリアと決定する（ステップＳ２０１）。なおメール内容表示部の各表示分割エリアの範囲の情報（座標など）は予めデータベース１７などに記憶されており、領域決定部１３はこの範囲の情報を読み取ってユーザ注視エリアや非ユーザ注視エリアを決定する。次に領域決定部１３は操作ガイド表示部の表示領域を決定する（ステップＳ２０２）。そしてメール閲覧画面においてスクロール操作が行なわれたか否かを入力部１１から受付ける情報に基づいて判定する（ステップＳ２０３）。
【００３１】
次にスクロールの指示がメール内容表示画面の下方向へのスクロールか上方向へのスクロールかの判定を行なう（ステップＳ２０４）。そしてステップＳ２０４においてメール内容表示画面の下方向へのスクロール操作の指示であると判定した場合には、領域決定部１３は、メールの終端がユーザ注視エリアであるか否かを判定する（ステップＳ２０５ａ）。そして、終端でない場合、ユーザ注視エリアがメール内容表示部における一番下の表示分割エリアであるか否かを判定する（ステップＳ２０６ａ）。ステップＳ２０５ａでメールの終端がユーザ注視エリアであると判定した場合には終了する。
【００３２】
次にステップＳ２０６ａにおいてユーザ注視エリアがメール内容表示部における一番下の表示分割エリアでないと判定した場合、現在のユーザ注視エリアの一つ下の表示分割エリアをユーザ注視エリアと決定する（ステップＳ２０７ａ）。またステップＳ２０６ａにおいてユーザ注視エリアがメール内容表示部における一番下の表示分割エリアであると判定した場合、ページ送りモードであるか否かを判定し（ステップＳ２０８ａ）、ページ送りモードである場合には、次のページのメール内容をメール内容表示部に表示すると共に、メール内容表示部における一番上の表示分割エリアをユーザ注視エリアと決定する（ステップＳ２０９ａ）。なおページ送りモードとは、メール内容表示部に表示されているメール内容の次の内容を表示するような場合に、現在表示されているメール内容を、その内容に続く次のページのメール内容へ全て変更する処理のことをいう。ステップＳ２０７ａ、ステップＳ２０９ａの後、領域決定部１３はユーザ注視エリアと決定されている表示分割エリア以外の表示分割エリアを非ユーザ注視エリアと決定する（ステップＳ２１０）。なおステップＳ２０３ａにおいてスクロール操作が行なわれないと判定した場合には、メール閲覧を開始して最初のループの処理であるか否かを判定して（ステップＳ２１１）、最初のループの処理でない場合には処理を終了する。
【００３３】
ステップＳ２１０の後、またはステップＳ２１１においてメール閲覧を開始して最初のループの処理であると判定した場合、次に領域決定部１３はメール内容表示部において文字を表示しない領域を決定する（ステップＳ２１２）。以上の処理により、各領域種別に応じた表示領域が決定される。
【００３４】
次に、発光輝度制御部１４は、領域種別に応じた輝度値（明るさレベル）を明るさテーブルから読み取る。そして、メール閲覧画面における異なる領域種別それぞれの表示領域について、例えば元の輝度に輝度値を乗算し、異なる領域種別それぞれの表示領域についての新たな輝度を算出する（ステップＳ２１３）。そして、その輝度により、メール閲覧画面を表示する（ステップＳ２１４）。
【００３５】
また図１１より、ステップＳ２０４においてメール内容表示画面の上方向へのスクロール操作の指示であると判定した場合には、領域決定部１３は、メールの先端がユーザ注視エリアであるか否かを判定する（ステップＳ２０５ｂ）。そして、先端でない場合、ユーザ注視エリアがメール内容表示部における一番上の表示分割エリアであるか否かを判定する（ステップＳ２０６ｂ）。ステップＳ２０５ｂでメールの先端がユーザ注視エリアであると判定した場合には終了する。
【００３６】
次にステップＳ２０６ｂにおいてユーザ注視エリアがメール内容表示部における一番上の表示分割エリアでないと判定した場合、現在のユーザ注視エリアの一つ上の表示分割エリアをユーザ注視エリアと決定する（ステップＳ２０７ｂ）。またステップＳ２０６ｂにおいてユーザ注視エリアがメール内容表示部における一番上の表示分割エリアであると判定した場合、ページ送りモードであるか否かを判定し（ステップＳ２０８ｂ）、ページ送りモードである場合には、前のページのメール内容をメール内容表示部に表示すると共に、メール内容表示部における一番下の表示分割エリアをユーザ注視エリアと決定する（ステップＳ２０９ｂ）。そしてステップＳ２０７ｂ、ステップＳ２０９ｂの後、上述のステップＳ２１０の処理が行なわれる。またステップＳ２０８ｂにおいて、ページ送りモードでないと判定した場合には、ステップＳ２１２の処理が行なわれる。またステップＳ２０５ｂにおいてメールの先端がユーザ注視エリアであると判定した場合には終了する。
【００３７】
図１２は第２の実施形態による表示装置の処理概要を示す第１の図である。
図１２では、ページ送りモードである場合の、メール閲覧画面の状態遷移を示している。ｄ１では、「Ｆｒｏｍ  キャサリン」、「Ｓｕｂ  久しぶり」といったメール送信元の情報と表題とが表示されている表示分割エリア１がユーザ注視エリアとなって、明るさレベル１、つまり元のメール閲覧画面の表示分割エリア１の輝度に対する輝度値が１となる明るさで表示制御されている。なお表示分割エリア１の文字が表示されていない領域は明るさレベル０、つまり元のメール閲覧画面の表示分割エリア１の輝度に対する輝度値が０となる明るさで表示制御されている。またｄ１では、「先日は〜家族全員で」というメール文章が表示分割エリア２、表示分割エリア３にあたり、ユーザ非注視エリアとなっている。この非ユーザ注視エリアでは、明るさレベル０．５、つまり、元のメール閲覧画面の表示分割エリア２、３の輝度に対する輝度値が０．５となる明るさで表示制御されている。
【００３８】
図１２のｄ２はユーザが下方向へのスクロール操作を行なってユーザ注視エリアを一つ下の表示分割エリア２に設定した場合の状態を示している。この状態においては表示分割エリア１の文字が表示されている部分が明るさ０．５、文字の表示されていない部分の明るさレベル０で表示制御されている。また表示分割エリア２がユーザ注視エリアであるので、明るさレベル１で表示制御されている。また表示分割エリア３は非ユーザ注視エリアであるので、明るさレベル０．５で表示されている。
【００３９】
図１２のｄ３はユーザが下方向へのスクロール操作を行なってユーザ注視エリアをさらに一つ下の表示分割エリア３に設定した場合の状態を示している。この状態においては表示分割エリア１の文字が表示されている部分が明るさ０．５、文字の表示されていない部分の明るさレベル０で表示制御されている。また表示分割エリア２が非ユーザ注視エリアであるので、明るさレベル０．５で表示制御されている。また表示分割エリア３はユーザ注視エリアであるので、明るさレベル１で表示されている。
【００４０】
図１２のｄ４はユーザが下方向へのスクロール操作を行なって現在表示されているメール内容を、その内容に続く次のページのメール内容へ変更した場合の状態を示している。この状態においては、メール内容表示部に表示されるメール内容が次のページの内容に変更される。そして表示分割エリア１がユーザ注視エリアと決定され、「君の話を〜君さえ都」までの内容が明るさレベル１で表示される。また表示分割エリア２において文字が表示されている部分は明るさレベル０．５で、文字が表示されていない部分は明るさレベル０で表示される。また表示分割エリア３においては文字が表示されていないので、全ての領域が明るさレベル０で表示される。
【００４１】
図１３は第２の実施形態による表示装置の処理概要を示す第２の図である。
図１３では、３行の行送りモードである場合の、メール閲覧画面の状態遷移を示している。つまりページ送りモードに限らず、表示されているメール内容に続く次のメール内容を表示する際に、行単位でスクロールして表示するようにしてもよい。ｅ１では、表示分割エリア１がユーザ注視エリアとなって、文字が表示されている部分は明るさレベル１で表示され、文字が表示されていない部分は明るさレベル０で表示される。また表示分割エリア２、３では全域に文字が表示されているので明るさレベル０．５で表示される。
【００４２】
図１３のｅ２はユーザが下方向へのスクロール操作を行なってユーザ注視エリアを一つ下の表示分割エリア２に設定した場合の状態を示している。この状態においては表示分割エリア１の文字が表示されている部分が明るさ０．５、文字の表示されていない部分の明るさレベル０で表示制御されている。また表示分割エリア２がユーザ注視エリアであるので、明るさレベル１で表示制御されている。また表示分割エリア３は非ユーザ注視エリアであるので、明るさレベル０．５で表示されている。
【００４３】
図１３のｅ３はユーザが下方向へのスクロール操作を行なってユーザ注視エリアをさらに一つ下の表示分割エリア３に設定した場合の状態を示している。この状態においては表示分割エリア１が非ユーザ注視エリアであるので、文字が表示されている部分が明るさ０．５、文字の表示されていない部分の明るさレベル０で表示制御されている。また表示分割エリア２が非ユーザ注視エリアであるので、明るさレベル０．５で表示制御されている。また表示分割エリア３はユーザ注視エリアであるので、明るさレベル１で表示されている。
【００４４】
図１３のｅ４はユーザが下方向へのスクロール操作を行なって現在表示されているメール内容を、その内容に続く次のメール内容へ変更した場合の状態を示している。この状態においては、メール内容表示部に表示されるメール内容が３行スクロールして次の３行の内容が新たに表示され、前回表示されていた内容の最上部３行が非表示となっている。そしてこの場合、表示分割エリア３がユーザ注視エリアと決定され、「君の話を〜君さえ都」までの内容が明るさレベル１で表示される。また表示分割エリア１、２全ての領域が明るさレベル０．５で表示される。
【００４５】
図１４は第２の実施形態による表示装置の処理概要を示す第３の図である。
図１４では、１行の行送りモードである場合の、メール閲覧画面の状態遷移を示している。つまりページ送りモードに限らず、表示されているメール内容に続く次のメール内容を表示する際に、１行ずつスクロールして表示するようにしてもよい。ｆ１では、表示分割エリア１がユーザ注視エリアとなって、文字が表示されている部分は明るさレベル１で表示され、文字が表示されていない部分は明るさレベル０で表示される。また表示分割エリア２、３では全域に文字が表示されているので明るさレベル０．５で表示される。
【００４６】
図１４のｆ２はユーザが下方向へのスクロール操作を行なってユーザ注視エリアを一つ下の表示分割エリア２に設定した場合の状態を示している。この状態においては表示分割エリア１が非ユーザ注視エリアであるので、文字が表示されている部分が明るさ０．５、文字の表示されていない部分の明るさレベル０で表示制御されている。また表示分割エリア２がユーザ注視エリアであるので、明るさレベル１で表示制御されている。また表示分割エリア３は非ユーザ注視エリアであるので、明るさレベル０．５で表示されている。
【００４７】
図１４のｆ３はユーザが下方向へのスクロール操作を行なってユーザ注視エリアをさらに一つ下の表示分割エリア３に設定した場合の状態を示している。この状態においては表示分割エリア１が非ユーザ注視エリアであるので、文字が表示されている部分が明るさ０．５、文字の表示されていない部分の明るさレベル０で表示制御されている。また表示分割エリア２が非ユーザ注視エリアであるので、明るさレベル０．５で表示制御されている。また表示分割エリア３はユーザ注視エリアであるので、明るさレベル１で表示されている。
【００４８】
図１４のｆ４はユーザが下方向へのスクロール操作を行なって現在表示されているメール内容を、その内容に続く次のメール内容へ変更した場合の状態を示している。この状態においては、メール内容表示部に表示されるメール内容が１行スクロールして次の１行の内容が新たに表示され、前回表示されていた内容の最上部１行が非表示となっている。そしてこの場合、表示分割エリア３がユーザ注視エリアと決定され、「次は僕の〜していたら」までの内容が明るさレベル１で表示される。また表示分割エリア１において文字が表示されている部分が明るさレベル０．５、文字が表示されていない部分が明るさレベル０で表示される。また表示分割エリア２全ての領域が明るさレベル０．５で表示される。
【００４９】
図１５は第２の実施形態による表示装置の処理概要を示す第４の図である。
図１５では、表示分割エリアごとにユーザ注視エリアを決定する上述の例とは異なり、メールの文章における句点や読点（文法上の言語単位）に基づいて、ユーザ注視エリアを決定しており、表示装置１はこのような処理によりメール閲覧画面の輝度を変更するようにしてもよい。なお、本実施形態においては、時計、メール送信元、表題の組合せの領域を１つのユーザ注視エリアと設定し、メールの本文については文章の読点ごとに１つのユーザ注視エリアと決定する処理を行なう。
【００５０】
図１５のｇ１では、まず、時計、メール送信元、表題を表示している行がユーザ注視エリアと決定され、文字が表示されている部分は明るさレベル１で表示され、文字が表示されていない部分は明るさレベル０で表示される。またその他のメール内容表示部における領域全域では文字が表示されているので明るさレベル０．５で表示される。
【００５１】
図１５のｇ２はユーザが下方向へのスクロール操作を行なってユーザ注視エリアをメール本文の最初の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜ありがとう。」という文章の表示されたエリアがユーザ注視エリアであるので、明るさレベル１で表示制御される。また「おかげで〜家族全員で」という文章の表示されたエリアが非ユーザ注視エリアであるので、明るさレベル０．５で表示制御される。
【００５２】
図１５のｇ３はユーザが下方向へのスクロール操作を行なってユーザ注視エリアを次の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜ありがとう。」という文章の表示されたエリアが非ユーザ注視エリアであるので、明るさレベル０．５で表示制御される。また「おかげで〜になったよ。」という文章の表示されたエリアがユーザ注視エリアであるので、明るさレベル１で表示制御される。またその次の「次は〜家族全員で」という文章の表示されたエリアが非ユーザ注視エリアであるので、明るさレベル０．５で表示される。
【００５３】
図１５のｇ４はユーザが下方向へのスクロール操作を行なってユーザ注視エリアをさらに次の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜になったよ。」という文章の表示されたエリアが非ユーザ注視エリアであるので、明るさレベル０．５で表示制御される。また「次は〜おいでよ。」という文章の表示されたエリアがユーザ注視エリアとなり、明るさレベル１で表示制御される。またその次の「家族全員で」という文章の表示されたエリアが非ユーザ注視エリアであるので、明るさレベル０．５で表示される。
【００５４】
図１５のｇ５はユーザが下方向へのスクロール操作を行なってユーザ注視エリアを表示されている文章の最後の次に続く文章に設定した場合の状態を示している。ユーザが下方向へのスクロール操作を行なって現在表示されているメール内容にに続く次のメール内容を表示する場合、次の文章の読点を含む行がスクロール表示され、それに伴って元のメール内容表示部の上部の行（この例においては、時計、メール送信元、表題を表示している行）が非表示となる。そして、「先日は〜おいでよ。」という文章の表示されたエリアが非ユーザ注視エリアとなり、明るさレベル０．５で表示制御される。またｇ４でユーザ注視エリアとなった文章以降であって読点で区切られる「家族全員〜言っていたよ。」という文章の表示されたエリアがユーザ注視エリアとなり、明るさレベル１で表示制御される。またその次の「君さえ都」という文章が非ユーザ注視エリアとなり、明るさレベル０．５で表示制御される。なおこの例においては行送りモードの場合を例示しているが、ページ送りモードの処理が行なわれるようにしてもよい。
【００５５】
図１６は第２の実施形態による表示装置の処理概要を示す第５の図である。
図１６では、メールの文章における句点や読点に基づいて、ユーザ注視エリアを決定する図１５で示した例と同様の例であり、さらに文章の改行部分が含まれる場合の例を示す図である。
図１６のｈ１では、まず、時計、メール送信元、表題を表示している行がユーザ注視エリアと決定され、文字が表示されている部分は明るさレベル１で表示され、文字が表示されていない部分は明るさレベル０で表示される。またその他のメール内容表示部において文字が表示されている領域は明るさレベル０．５で表示制御される。また文章の改行により文字が表示されていない領域は明るさレベル０で表示制御される。
【００５６】
図１６のｈ２はユーザが下方向へのスクロール操作を行なってユーザ注視エリアをメール本文の最初の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜ありがとう。」という文章の表示されたエリアがユーザ注視エリアであるので、明るさレベル１で表示制御される。また「おかげで〜おいでよ」という文章の表示されたエリアが非ユーザ注視エリアであるので、明るさレベル０．５で表示制御される。また改行されることにより文字が表示されていない領域は明るさレベル０で表示制御される。
【００５７】
図１６のｈ３はユーザが下方向へのスクロール操作を行なってユーザ注視エリアを次の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜ありがとう。」という文章の表示されたエリアが非ユーザ注視エリアであるので、明るさレベル０．５で表示制御される。また「おかげで〜になったよ。」という文章の表示されたエリアがユーザ注視エリアであるので、明るさレベル１で表示制御される。またその次の「次は〜おいでよ」という文章の表示されたエリアが非ユーザ注視エリアであるので、明るさレベル０．５で表示制御される。また改行されることにより文字が表示されていない領域は明るさレベル０で表示制御される。
【００５８】
図１６のｈ４はユーザが下方向へのスクロール操作を行なってユーザ注視エリアをさらに次の読点で区切られる文章に設定した場合の状態を示している。この状態においては時計、メール送信元、表題を表示している行が非ユーザ注視エリアと決定され、文字が表示されている部分が明るさ０．５、文字の表示されていない部分の明るさレベル０で表示制御されている。また「先日は〜になったよ。」という文章の表示されたエリアが非ユーザ注視エリアであるので、明るさレベル０．５で表示制御される。また「次は〜おいでよ。」という文章の表示されたエリアがユーザ注視エリアとなり、明るさレベル１で表示制御される。また改行されることにより文字が表示されていない領域は明るさレベル０で表示制御される。
【００５９】
図１６のｈ５はユーザが下方向へのスクロール操作を行なってユーザ注視エリアを表示されている文章の最後の次に続く文章に設定した場合の状態を示している。ユーザが下方向へのスクロール操作を行なって現在表示されているメール内容にに続く次のメール内容を表示する場合、次の文章の読点を含む行がスクロール表示され、それに伴って元のメール内容表示部の上部の行（この例においては、時計、メール送信元、表題を表示している行と「先日は君の家に招待」という文章の行）が非表示となる。そして、「してくれて〜おいでよ。」という文章の表示されたエリアが非ユーザ注視エリアとなり、明るさレベル０．５で表示制御される。またｇ４でユーザ注視エリアとなった文章以降であって読点で区切られる「家族全員〜言っていたよ。」という文章の表示されたエリアがユーザ注視エリアとなり、明るさレベル１で表示制御される。また改行されることにより文字が表示されていない領域は明るさレベル０で表示制御される。なおこの例においても行送りモードの場合を例示しているが、ページ送りモードの処理が行なわれるようにしてもよい。
【００６０】
以上の処理により、ユーザのスクロールによって、注視していると思われる領域について明るく表示され、また他のユーザが注視しない部分については輝度を下げている。また文字が表示されている領域であってユーザが注視していない領域については輝度を制限するだけで、ユーザに閲覧可能に表示されるているので、ユーザのメール内容の閲覧に支障がでないように、輝度の制限をするとともに、その輝度の制限により消費電力を制限することができる。
【００６１】
＜第３の実施形態＞
図１７は第３の実施形態による表示画面上の表示領域を示す第１の図である。
まず、ウェブアプリケーションによりウェブ閲覧画面Ａを表示する際の表示装置１の処理について説明する。ここで、図１７に示すように表示装置１はユーザの操作に基づいて表示画面上の表示領域にウェブ閲覧画面Ａを表示する場合がある。そしてウェブ閲覧画面Ａは、ウェブ内容表示部と操作ガイド表示部に分割される。またウェブ閲覧画面Ａはウェブ内容表示部において他のウェブページ（リンク先）を指定する文字列（以下、リンク先指定文字列とする）が表示されている。ウェブ閲覧画面Ａにおいては「今日の株価」、「今日の番組」、「明日の天気」というリンク指定先文字列を表示する例である。なお、リンク指定先文字列をキー操作などでクリックまたは選択することにより、他のウェブページがウェブ閲覧画面に表示され、例えばＨＴＭＬタグとしてリンク先のＵＲＬを格納することにより実現される。
【００６２】
図１８は第３の実施形態による表示画面上の表示領域を示す第２の図である。
図１８に示すように表示装置１はユーザの操作に基づいて表示画面上の表示領域にウェブ閲覧画面Ｂを表示する場合がある。ウェブ閲覧画面Ｂは、ウェブ内容表示部と操作ガイド表示部に分割される。またウェブ閲覧画面Ｂはウェブ内容表示部において複数のフレームを表示する場合の例である。ここでフレームとはウェブ内容表示部において、ＨＴＭＬやＸＭＬなどのウェブページの記述言語によって表示領域が複数分割された各分割領域を示すものである。
【００６３】
図１９は第３の実施形態による表示画面上の表示領域を示す第３の図である。
図１９に示すように表示装置１はユーザの操作に基づいて表示画面上の表示領域にウェブ閲覧画面Ｃを表示する場合がある。ウェブ閲覧画面Ｃは、ウェブ内容表示部と操作ガイド表示部に分割される。またウェブ閲覧画面Ｃはウェブ内容表示部に画像を表示する場合の例である。
【００６４】
図２０は第３の実施形態による表示画面上の表示領域を示す第４の図である。
図２０に示すように表示装置１はユーザの操作に基づいて表示画面上の表示領域にウェブ閲覧画面Ｄを表示する場合がある。ウェブ閲覧画面Ｄは、ウェブ内容表示部と操作ガイド表示部に分割される。またウェブ閲覧画面Ｃはウェブ内容表示部に複数行にわたるリンク指定先文字列（ＵＲＬなど）を表示する場合の例である。
【００６５】
図２１は第３の実施形態における明るさテーブルを示す図である。
明るさテーブルは、領域種別と、その領域種別に対応した明るさレベルとを対応付けて保持している。そしてウェブ閲覧画面においては、ユーザ注視エリアの領域、操作ガイド表示部の領域、ユーザ注視エリアに一部でも含まれている画像の領域、フォーカスがあるリンク指定先文字列の領域、のそれぞれについては明るさレベル１の輝度により表示制御が行なわれる。また非ユーザ注視エリアの領域、選択されていないフレームの領域、のそれぞれについては明るさレベル０．５の輝度により表示制御をが行なわれる。またユーザ注視エリアに含まれない画像の領域については明るさレベル０．２５の輝度により表示制御が行なわれる。
【００６６】
図２２は第３の実施形態による表示装置の第１の処理フローを示す図である。
図２３はフレーム明るさ決定処理フローを示す図である。
図２４は第３の実施形態による表示装置の第２の処理フローを示す図である。
図２５は第３の実施形態による表示装置の第３の処理フローを示す図である。
図２６は画像明るさ決定処理フローを示す図である。
図２７はリンク明るさ決定処理フローを示す図である。
次に図２２〜２７を用いて第３の実施形態による表示装置１の処理について説明する。
図２２より、まず、制御部１２の指示に基づいて表示制御部１５がデータベース１７に格納されているウェブ閲覧画面を表示画面に表示する際に、領域決定部１３は、当該ウェブ閲覧画面のウェブ内容表示部において、フレーム明るさ決定処理を行なう（ステップＳ３０１）。この処理は図２３に示すように、まず、選択されていないフレームを非ユーザ注視エリアと決定する（ステップＳ３０１ａ）。そして領域決定部１３は選択されているフレームのサイズがＮ画素以下か否かを判定し（ステップＳ３０１ｂ）し、Ｎ画素以下である場合には選択されているフレーム全体をユーザ注視エリアと決定し（ステップＳ３０１ｃ）、Ｎ画素以下でない場合には、選択されているフレームをユーザ注視エリア候補と決定する（ステップＳ３０１ｄ）。
【００６７】
次に、領域決定部１３は選択されているフレームの大きさがＮ画素以下か否かを判定し（ステップＳ３０２）、Ｎ画素より大きい場合には選択されているフレーム内の一番上の領域を表示分割エリアをユーザ注視エリアと決定する（ステップＳ３０３）。なおフレームがＮ画素より大きい場合にユーザ注視エリアと決定する一番上の領域は予めデータベースに規定されているものとする。例えばフレームを均等分割、または複数に均等分割するよう規定されている。そして領域決定部１３は、ステップＳ３０１ａに基づいて非ユーザ注視エリアを決定する（ステップＳ３０４）。次に、領域決定部１３は操作ガイド表示部の表示領域を決定する（ステップＳ３０５）。
【００６８】
次に領域決定部１３は、スクロール操作が行なわれたか否かを判定する（ステップＳ３０６）。そしてスクロールが行なわれた場合には、選択されているフレームの大きさがＮ画素以下か否かを判定する（ステップＳ３０７）。そして、Ｎ画素以下でない場合には、スクロールが下方向または上方向のいずれかかを判定する（ステップＳ３０８）。次に領域決定部１３は、選択されているフレームの一番下の表示分割エリアがユーザ注視エリアであるか否かを判定する（ステップＳ３０９）。そして選択されているフレームの一番下の表示分割エリアがユーザ注視エリアでない場合には、上述のステップＳ３０１ａ〜Ｓ３０１ｄと同様のフレーム明るさ決定処理を行なう（ステップＳ３１０）。ステップＳ３０９において、選択されているフレームの一番下の表示分割エリアがユーザ注視エリアである場合には処理を終了する。ステップＳ３１０の次に領域決定部１３は、ユーザ注視エリアの中にフォーカスされている（ユーザによって選択されている）リンク指定先文字列があるか否かを判定する（ステップＳ３１１）。またユーザ注視エリアの中でスクロールの移動方向に他のリンク先指定文字列があるか否かを判定する（ステップＳ３１２）。
【００６９】
そして領域決定部１３は、ステップＳ３１１においてフォーカスされているリンク指定先文字列がない場合や、ステップＳ３１２で移動方向に他のリンク先指定文字列がない場合には、選択されているフレーム内で現在のユーザ注視エリアの一つ下の表示分割エリアをユーザ注視エリアと決定する（ステップＳ３１３）。次に領域決定部１３は、非ユーザ注視エリアを決定する（ステップＳ３１４）。
【００７０】
また上述のステップＳ３０６において、入力部１１で受付けた情報に基づいてスクロール操作が行なわれていないと判定した場合には、別フレームが選択されたか否かを判定する（ステップＳ３１５）。そして別フレームが選択されている場合には、ステップＳ３０１ａ〜ステップＳ３０１ｄのフレーム明るさ決定処理を行なう（ステップＳ３１６）。また選択されているフレームの大きさがＮ画素以下か否かを判定し（ステップＳ３１７）、Ｎ画素よりも大きい場合には、選択されているフレーム内の一番上の表示分割エリアをユーザ注視エリアと決定する（ステップＳ３１８）。またユーザ注視エリア以外を非ユーザ注視エリアと決定する（ステップＳ３１９）。またステップＳ３１５で別フレームが選択されていない場合、またステップＳ３１９の後、ウェブ閲覧を開始して最初のループか否かを判定する（ステップＳ３２０）。そして、最初のループでない場合には処理を終了する。
【００７１】
ステップＳ３０８においてスクロール操作が上方向であると判定した場合、また図２４より、選択されているフレームの一番上の表示分割エリアがユーザ注視エリアか否かを判定する（ステップＳ３２１）。そして、選択されているフレームの一番上の表示分割エリアがユーザ注視エリアでない場合には、ステップＳ３０１ａ〜Ｓ３０１ｄと同様のフレーム明るさ決定処理を行なう（ステップＳ３２２）。なお、ステップＳ３２１において、選択されているフレームの一番上の表示分割エリアがユーザ注視エリアである場合には処理を終了する。ステップＳ３２２の次に領域決定部１３は、ユーザ注視エリアの中にフォーカスされている（ユーザによって選択されている）リンク指定先文字列があるか否かを判定する（ステップＳ３２３）。またユーザ注視エリアの中でスクロールの移動方向に他のリンク先指定文字列があるか否かを判定する（ステップＳ３２４）。
【００７２】
そして領域決定部１３は、ステップＳ３２３においてフォーカスされているリンク指定先文字列がない場合や、ステップＳ３２４で移動方向に他のリンク先指定文字列がない場合には、選択されているフレーム内で現在のユーザ注視エリアの一つ上の表示分割エリアをユーザ注視エリアと決定する（ステップＳ３２５）。次に領域決定部１３は、非ユーザ注視エリアを決定する（ステップＳ３２６）。
【００７３】
次に、ステップＳ３１２、ステップＳ３２４においてユーザ注視エリアの中で、スクロールの移動方向に他のリンクがある場合や、ステップＳ３１４やステップＳ３２６の処理の後や、ステップＳ３２０においてＷｅｂ閲覧を開始して最初のループである場合には、図２５より、次に画像明るさ決定処理を行なう（ステップＳ３２７）。この画像明るさ決定処理は、図２６より、まず、ユーザ注視エリアと非ユーザ注視エリアにまたがる画像があるか否かを判定する（ステップＳ３２７ａ）。ユーザ注視エリアと非ユーザ注視エリアにまたがる画像がない場合には画像明るさ決定処理を終了する。そして、ユーザ注視エリアと非ユーザ注視エリアにまたがる画像がある場合には、画像の表示領域を決定する（ステップＳ３２７ｂ）。また次にリンク明るさ決定処理を行なう（ステップＳ３２８）。このリンク明るさ決定処理は、図２７より、まず、リンクがユーザの操作に基づいて指定されフォーカスされているか否かを判定する（ステップＳ３２８ａ）。そしてフォーカスしている場合には、フォーカスしているリンク先指定文字列がユーザ注視エリアと非ユーザ注視エリアの範囲にまたがって表示されているか否かを判定する（ステップＳ３２８ｂ）。そしてまたがっている場合にはフォーカスしているリンク先指定文字列の表示領域を決定する（ステップＳ３２８ｃ）。またがっていない場合にはリンク明るさ決定処理を終了する。以上の処理により、各領域種別に応じた表示領域が決定される。
【００７４】
次に、発光輝度制御部１４は、領域種別に応じた輝度値（明るさレベル）を明るさテーブルから読み取る。そして、メール閲覧画面における異なる領域種別それぞれの表示領域について、元の輝度に輝度値を乗算し、異なる領域種別それぞれの表示領域についての新たな輝度を算出する（ステップＳ３２９）。そして、その輝度により、メール閲覧画面を表示する（ステップＳ３３０）。
【００７５】
図２８は第３の実施形態による表示装置の処理概要を示す第１の図である。
図２８では、表示画面においてウェブ閲覧画面Ａが表示された際のユーザ操作による状態遷移を示しており、この状態遷移について説明する。まずｉ１では、ウェブ内容表示部において、「ニュース」、「今日の株価」、「日経平均＋１００」が表示分割エリア１にあたり、最初の状態では表示分割エリア１がユーザ注視エリアと特定され、明るさレベル１、つまり元のウェブ閲覧画面の輝度に対する輝度値が１となる明るさで表示制御される。またウェブ内容表示部における他の表示分割エリアの領域については明るさレベル０．５、つまり、元のウェブ閲覧画面の輝度に対する輝度値が０．５となる明るさで表示制御される。なお、表示分割エリア１には「今日の株価」というリンク先指定文字列が表示されているので、この文字列がフォーカスされて表示される（例えば色のハイライトになりフォーカスされていることを示している）。操作ガイド表示部は常に明るさレベル１で表示制御される。
【００７６】
図２８のｉ２はユーザが下方向へのスクロール操作を行なってユーザ注視エリアを一つ下の表示分割エリア２に設定した場合の状態を示している。この状態においては表示分割エリア１が非ユーザ注視エリアとなり、明るさレベル０．５で表示制御される。また表示分割エリア２はユーザ注視エリアであるので、明るさレベル１で表示制御される。表示分割エリア２には「今日の番組」というリンク先指定文字列が表示されているので、この文字列がフォーカスされて表示される。また表示分割エリア３は非ユーザ注視エリアであるので、明るさレベル０．５で表示される。
【００７７】
図２８のｉ３はユーザが下方向へのスクロール操作を行なって表示分割エリア２の２つめのリンク先指定文字列を指定した場合の状態を示している。この状態においては表示分割エリア１、３の領域が非ユーザ注視エリアであるので、明るさレベル０．５で表示制御される。また表示分割エリア２はユーザ注視エリアであるので、明るさレベル１で表示制御される。そして、２つ目のリンク先指定文字列である「明日の天気」の文字列がフォーカスされて表示される。
【００７８】
図２８のｉ４はユーザが下方向へのスクロール操作を行なってユーザ注視エリアをさらに一つ下の表示分割エリア３に設定した場合の状態を示している。この状態においては表示分割エリア１、２が明るさ０．５で表示制御される。また表示分割エリア３がユーザ注視エリアであるので、明るさレベル１で表示される。
【００７９】
図２９は第３の実施形態による表示装置の処理概要を示す第２の図である。
図２９では、表示画面においてウェブ閲覧画面Ｂが表示された際のユーザ操作による状態遷移を示しており、この状態遷移について説明する。まずｊ１では、ウェブ内容表示部において、「明日の天気」がフレーム１に表示されており、最初の状態ではフレーム１がユーザ注視エリアと特定され、明るさレベル１、つまり元のウェブ閲覧画面の輝度に対する輝度値が１となる明るさで表示制御される。またウェブ内容表示部におけるフレーム２、３の領域については明るさレベル０．５、つまり、元のウェブ閲覧画面の輝度に対する輝度値が０．５となる明るさで表示制御される。操作ガイド表示部は常に明るさレベル１で表示制御される。
【００８０】
図２９のｊ２はユーザがフレーム２を選択した場合の状態を示している。この状態においてはフレーム１が非ユーザ注視エリアとなり、明るさレベル０．５で表示制御される。またフレーム２はフレーム２の画素数がＮ画素以上となる。従って、フレーム２の上部の領域のみがユーザ注視エリアと特定され、明るさレベル１で表示制御される。なお上部の範囲は、例えばフレーム２を２分割した上部であるが、これ以外でも、複数に分割した１つの部分であればよい。なおフレーム２の下部の範囲は、非ユーザ注視エリアと特定され、明るさレベル０．５で表示制御される。またフレーム３は非ユーザ注視エリアであるので、明るさレベル０．５で表示制御される。
【００８１】
図２９のｊ３はユーザがフレーム２の下部を指定した場合の状態を示している。この状態においてはフレーム１、３の領域が非ユーザ注視エリアであるので、明るさレベル０．５で表示制御される。またフレーム２は上部の領域が非ユーザ注視エリアと特定され、明るさレベル０．５で表示制御される。そしてフレーム２の下部の領域がユーザ注視エリアと特定され、明るさレベル１で表示制御される。
【００８２】
図２９のｊ４はユーザがフレーム３を選択した場合の状態を示している。この状態においてはフレーム１、２が非ユーザ注視エリアとなり、明るさレベル０．５で表示制御される。またフレーム３はフレーム３の画素数がＮ画素以上となる。従って、フレーム３の上部の領域のみがユーザ注視エリアと特定され、明るさレベル１で表示制御される。またフレーム３の下部の範囲は、非ユーザ注視エリアと特定され、明るさレベル０．５で表示制御される。
【００８３】
図３０は第３の実施形態による表示装置の処理概要を示す第３の図である。
図３０では、表示画面においてウェブ閲覧画面Ｃが表示された際のユーザ操作による状態遷移を示しており、この状態遷移について説明する。まずｋ１では、ウェブ内容表示部において、「ニュース」、「今日の株価」、「日経平均＋１００」と画像の領域が表示分割エリア１にあたり、最初の状態では表示分割エリア１がユーザ注視エリアと特定され、明るさレベル１、つまり元のウェブ閲覧画面の輝度に対する輝度値が１となる明るさで表示制御される。また画像についてもその一部が表示分割エリア１に含まれるので、明るさレベル１で表示制御される。またウェブ内容表示部における他の表示分割エリアの領域については明るさレベル０．５、つまり、元のウェブ閲覧画面の輝度に対する輝度値が０．５となる明るさで表示制御される。操作ガイド表示部は常に明るさレベル１で表示制御される。
【００８４】
図３０のｋ２はユーザが下方向へのスクロール操作を行なってユーザ注視エリアを一つ下の表示分割エリア２に設定した場合の状態を示している。この状態においては表示分割エリア１が非ユーザ注視エリアとなり、明るさレベル０．５で表示制御される。また表示分割エリア２はユーザ注視エリアであるので、明るさレベル１で表示制御される。また表示分割エリア２には画像の一部が含まれるので、当該画像が明るさレベル１で表示制御される。また表示分割エリア２には「今日の番組」というリンク先指定文字列が表示されているので、この文字列がフォーカスされて表示される。また表示分割エリア３は非ユーザ注視エリアであるので、明るさレベル０．５で表示される。
【００８５】
図３０のｋ３はユーザが下方向へのスクロール操作を行なって表示分割エリア２の２つめのリンク先指定文字列を指定した場合の状態を示している。この状態においては表示分割エリア１、３の領域が非ユーザ注視エリアであるので、明るさレベル０．５で表示制御される。また表示分割エリア２はユーザ注視エリアであるので、明るさレベル１で表示制御される。また表示分割エリア２には画像の一部が含まれるので、当該画像が明るさレベル１で表示制御される。そして、２つ目のリンク先指定文字列である「明日の天気」の文字列がフォーカスされて表示される。
【００８６】
図３０のｋ４はユーザが下方向へのスクロール操作を行なってユーザ注視エリアをさらに一つ下の表示分割エリア３に設定した場合の状態を示している。この状態においては表示分割エリア１、２が明るさ０．５で表示制御される。また画像についても表示分割エリア３に含まれないため非ユーザ注視エリアと特定されて、明るさレベル０．２５で表示制御される。また表示分割エリア３がユーザ注視エリアと特定され、明るさレベル１で表示される。
【００８７】
図３１は第３の実施形態による表示装置の処理概要を示す第４の図である。
図３１では、表示画面においてウェブ閲覧画面Ｄが表示された際のユーザ操作による状態遷移を示しており、この状態遷移について説明する。まずｍ１では、ウェブ内容表示部において、「ニュース」、「今日の株価→ｈｔｔｐ：／／ｗｗ」が表示分割エリア１にあたり、最初の状態では表示分割エリア１がユーザ注視エリアと特定され、明るさレベル１、つまり元のウェブ閲覧画面の輝度に対する輝度値が１となる明るさで表示制御される。ここで「今日の株価→ｈｔｔｐ：／／ｗｗ」という文字列の中にはリンク先指定文字列としてＵＲＬが含まれており、このＵＲＬが表示分割エリア１および表示分割エリア２にまたがって表示されている。従って領域決定部１３はリンク先指定文字列となるＵＲＬの全て、つまり表示分割エリア１と２にまたがるＵＲＬの文字列をユーザ注視エリアと特定する。そして、表示分割エリア１と表示分割エリア２にまたがるリンク先指定文字列が明るさレベル１で表示制御される。また表示分割エリア２の領域であって、表示分割エリア１と表示分割エリア２にまたがるリンク先指定文字列を含まない領域については、非ユーザ注視エリアと特定され、明るさレベル０．５、つまり、元のウェブ閲覧画面の輝度に対する輝度値が０．５となる明るさで表示制御される。また同様に表示分割エリア３も非ユーザ注視エリアと特定され、明るさレベル０．５で表示制御される。なお、操作ガイド表示部は常に明るさレベル１で表示制御される。
【００８８】
図３１のｍ２はユーザが下方向へのスクロール操作を行なってユーザ注視エリアを一つ下の表示分割エリア２に設定した場合の状態を示している。この状態においては、表示分割エリア１の領域であって、表示分割エリア１と表示分割エリア２にまたがるリンク先指定文字列の表示領域以外の領域が非ユーザ注視エリアと特定され、明るさレベル０．５で表示制御される。また、また表示分割エリア２はユーザ注視エリアであるので、明るさレベル１で表示制御さるとともに、表示分割エリア１と表示分割エリア２にまたがるリンク先指定文字列がユーザ注視エリアと特定され、明るさレベル１で表示制御さる。また表示分割エリア３は非ユーザ注視エリアであるので、明るさレベル０．５で表示される。
【００８９】
図３１のｍ３はユーザが下方向へのスクロール操作を行なってユーザ注視エリアをさらに一つ下の表示分割エリア３に設定した場合の状態を示している。この状態においては表示分割エリア１、２が明るさ０．５で表示制御される。また表示分割エリア３がユーザ注視エリアであるので、明るさレベル１で表示される。また表示分割エリア３には「今日の番組」というリンク先指定文字列が表示されているので、この文字列がフォーカスされて表示される。
【００９０】
以上の処理により、ユーザのスクロールによって、注視していると思われる領域について明るく表示され、また他のユーザが注視しない部分については輝度を下げている。また画像やリンク先指定文字列などユーザがウェブ閲覧時に注視すべき領域は明るく表示する領域として特定される。また文字が表示されている領域であってユーザが注視していない領域については輝度を制限するだけで、ユーザに閲覧可能に表示されるているので、ユーザのウェブ閲覧に支障がでないように、輝度の制限をするとともに、その輝度の制限により消費電力を制限することができる。
【００９１】
＜第４の実施形態＞
図３２は第４の実施形態による表示画面上の表示領域を示す図である。
第４の実施形態においては、ウェブアプリケーションによりウェブ閲覧画面Ｅを表示し、ポインタによって閲覧領域を指定する際の表示装置１の処理について説明する。ここで、図３２に示すように表示装置１はユーザの操作に基づいて表示画面上の表示領域にウェブ閲覧画面Ｅを表示する場合がある。そしてウェブ閲覧画面Ｅは、ウェブ内容表示部と操作ガイド表示部に分割される。またウェブ閲覧画面Ｅはウェブ内容表示部において他のウェブページへリンクしている文字列が表示されている。ウェブ閲覧画面Ｅにおいては「今日の株価」、「今日の番組」、「明日の天気」というリンク指定先文字列を表示する例である。またウェブ閲覧画面Ｅにはポインタが表示される。このポインタはマウスや十字キーボタンなどのユーザ操作により、表示される画像である。
【００９２】
図３３は第４の実施形態における明るさテーブルを示す図である。
明るさテーブルは、領域種別と、その領域種別に対応した明るさレベルとを対応付けて保持している。そしてウェブ閲覧画面Ｅにおいては、ポインタが含まれる行の領域と、ポインタが含まれる行に隣接するＮ行の領域と、操作ガイド表示部の領域、のそれぞれについては明るさレベル１の輝度により表示制御が行なわれる。なお、ポインタとそのポインタの画素が特定する文章中の文字と当該文字の前後Ｎ文字を明るさレベル１の輝度により表示制御するようにしてもよい。またポインタとそのポインタを基準とした所定の範囲を明るさレベル１の輝度により表示制御するようにしてもよい。またポインタが含まれる行の領域と、ポインタが含まれる行に隣接するＮ行の領域に含まれない領域については明るさレベル０．５の輝度により表示制御が行なわれる。
【００９３】
図３４は第４の実施形態による表示装置の第１の処理フローを示す図である。
次に図３４を用いて第４の実施形態による表示装置１の処理について説明する。
まず、制御部１２の指示に基づいて表示制御部１５がデータベース１７に格納されているウェブ閲覧画面Ｅを表示画面に表示する際に、領域決定部１３は操作ガイド表示部の表示領域を決定する（ステップＳ４０１）。次に領域決定部１３は、ユーザの操作に基づいてポインタが移動されたか否かを、入力部１１から受付ける情報に基づいて判定する（ステップＳ４０２）。そしてポインタの移動がない場合には、ポインタの移動があるか否かを繰り返し判定する。そして、ポインタの移動があった場合には、ポインタが含まれる行と当該行の隣接する前後Ｎ行の表示領域を決定する（ステップＳ４０３）。なお、ポインタが含まれる行と当該行に隣接する前後Ｎ行の表示領域ではなく、そのほか、ポインタが含まれる行と当該行に隣接する前Ｎ行の表示領域の決定、ポインタが指定する文字とその文字の前後のＮ文字の表示領域の決定、ポインタとそのポインタを基準とした所定の範囲の表示領域を決定、などを行なうようにしてもよい。次に領域決定部１３は、ポインタが含まれる行と当該行の隣接する前後Ｎ行の表示領域以外の領域を決定する（ステップＳ４０４）。以上の処理により、各領域種別に応じた表示領域が決定される。
【００９４】
次に、発光輝度制御部１４は、領域種別に応じた輝度値を明るさテーブルから読み取る。そして、メール閲覧画面における異なる領域種別それぞれの表示領域について、例えば元の輝度に輝度値を乗算し、異なる領域種別それぞれの表示領域についての新たな輝度を算出する（ステップＳ４０５）。そして、その輝度により、メール閲覧画面を表示する（ステップＳ４０６）。
【００９５】
図３５は第４の実施形態による表示装置の処理概要を示す第１の図である。
図３５では、表示画面においてウェブ閲覧画面Ｅが表示された際のユーザ操作による状態遷移を示しており、この状態遷移について説明する。なお、この例においてはポインタが含まれる行と当該行の隣接する前後１行の表示領域がユーザ注視エリアと特定される処理について説明する。
まずｎ１では、ウェブ内容表示部において、「ニュース」が表示される行にポインタが表示されているとする。すると、ポインタが指定する「ニュース」の表示した行と、当該行の前後１行がユーザ注視エリアと特定される。なおポインタの指定した行がウェブ内容表示部の最上部の行である場合には、当該ポインタの指定した行の前の行が存在しないので、ポインタが指定する行と、当該行の後１行がユーザ注視エリアとなる。そしてユーザ注視エリアが、明るさレベル１、つまり元のウェブ閲覧画面の輝度に対する輝度値が１となる明るさで表示制御される。またそれ以外の行の領域については非ユーザ注視エリアと特定され、明るさレベル０．５、つまり、元のウェブ閲覧画面の輝度に対する輝度値が０．５となる明るさで表示制御される。このようにして、ｎ１〜ｎ２の遷移において、ユーザが操作してポインタを移動させると、当該ポインタの指定した行と、当該行の前後１行がユーザ注視エリアと特定され、またそれ以外の行が非ユーザ注視エリアと特定される。またｎ３〜ｎ７においてはユーザがポインタを移動させると、ｎ１、ｎ２での処理と同様に、当該ポインタの指定した行と、当該行の前後１行がユーザ注視エリアと特定され、またそれ以外の行が非ユーザ注視エリアと特定され、それぞれのエリアに応じた明るさレベルで表示制御される。なお、ｎ２、ｎ５、ｎ６などにおいてリンク先指定文字列が表示されている場合には、この文字列がフォーカスされて表示される
【００９６】
以上の処理により、ユーザのポインタの移動に基づいて、ユーザが注視していると思われる領域について明るく表示され、またユーザが注視しない他の部分については輝度を下げている。また文字が表示されている領域であってユーザが注視していない領域については輝度を制限するだけで、ユーザに閲覧可能に表示されるているので、ユーザのウェブ閲覧に支障がでないように、輝度の制限をするとともに、その輝度の制限により消費電力を制限することができる。
【００９７】
＜第５の実施形態＞
図３６は第５の実施形態による表示画面上の表示領域を示す図である。
第５の実施形態においては、ウェブアプリケーションにより画像を保持したウェブ閲覧画面Ｆを表示し、ポインタによって閲覧領域を指定する際の表示装置１の処理について説明する。ここで、図３６に示すように表示装置１はユーザの操作に基づいて表示画面上の表示領域にウェブ閲覧画面Ｆを表示する場合がある。そしてウェブ閲覧画面Ｆは、ウェブ内容表示部と操作ガイド表示部に分割される。またウェブ閲覧画面Ｆは画像とウェブ内容表示部において他のウェブページへリンクしている文字列が表示されている。またウェブ閲覧画面Ｆにおいては「今日の株価」、「今日の番組」、「明日の天気」というリンク指定先文字列を表示する。またウェブ閲覧画面Ｆにはポインタが表示される。このポインタはマウスや十字キーボタンなどのユーザ操作により、表示される画像である。
【００９８】
図３７は第５の実施形態における明るさテーブルを示す図である。
明るさテーブルは、領域種別と、その領域種別に対応した明るさレベルとを対応付けて保持している。そしてウェブ閲覧画面Ｆにおいては、画像の上にポインタがない時と、画像の上ポインタがある時で、領域種別により異なる明るさレベルが適用される。まず画像の上にポインタがない時には、ポインタが含まれる行の領域と、ポインタが含まれる行に隣接する前後Ｎ行の領域と、操作ガイド表示部の領域、のそれぞれについては明るさレベル１の輝度により表示制御が行なわれ、また、ポインタが含まれる行の領域と、ポインタが含まれる行に隣接するＮ行の領域に含まれない領域については明るさレベル０．５の輝度により表示制御が行なわれ、また画像の領域は明るさレベル０．２５の輝度により表意時制御が行なわれる。なお、明るさレベル１の輝度により表示制御を行なう領域は、ポインタとそのポインタの画素が特定する文章中の文字と当該文字の前後Ｎ文字の領域であってもよいし、またポインタとそのポインタを基準とした所定の範囲であってもよい。また画像の上にポインタがある時には、ポインタと画像と操作ガイド表示部の領域、のそれぞれについては明るさレベル１の輝度により表示制御が行なわれ、また、画像とポインタ以外の文字列と背景につては明るさレベル０．５の輝度により表示制御が行なわれる。
【００９９】
図３８は第５の実施形態による表示装置の第１の処理フローを示す図である。
次に図３８を用いて第５の実施形態による表示装置１の処理について説明する。
まず、制御部１２の指示に基づいて表示制御部１５がデータベース１７に格納されているウェブ閲覧画面Ｆを表示画面に表示する際に、領域決定部１３は操作ガイド表示部の表示領域を決定する（ステップＳ５０１）。次に領域決定部１３は、ユーザの操作に基づいてポインタが移動されたか否かを、入力部１１から受付ける情報に基づいて判定する（ステップＳ５０２）。そしてポインタの移動がない場合には、ポインタの移動があるか否かを繰り返し判定する。そして、ポインタの移動があった場合には、ポインタが画像の上にあるか否かを判定する（ステップＳ５０３）。そして領域決定部１３は、画像の上にない場合には、画像の表示領域を決定する（ステップＳ５０４）。次に領域決定部１３は、ポインタが含まれる行と当該行の隣接する前後Ｎ行の表示領域を決定する（ステップＳ５０５）。なお、ポインタが含まれる行と当該行に隣接する前後Ｎ行の表示領域ではなく、そのほか、ポインタが含まれる行と当該行に隣接する前Ｎ行の表示領域の決定、ポインタが指定する文字とその文字の前後のＮ文字の表示領域の決定、ポインタとそのポインタを基準とした所定の範囲の表示領域を決定、などを行なうようにしてもよい。次に領域決定部１３は、ポインタが含まれる行と当該行の隣接する前後Ｎ行の表示領域以外の領域を決定する（ステップＳ５０６）。またステップＳ５０３において、画像の上にない場合には領域決定部１３は画像の表示領域を決定する（ステップＳ５０７）。そして画像以外の表示領域を決定する（ステップＳ５０８）。
【０１００】
ステップＳ５０６、Ｓ５０８の後、発光輝度制御部１４は、明るさテーブルを用いて、ポインタが画像の上にない場合とある場合で、領域種別により異なる明るさレベルを適用する。そして、ポインタが画像の上にない場合とある場合のそれぞれの場合における領域種別に応じた輝度値を明るさテーブルから読み取る。そして、メール閲覧画面における異なる領域種別それぞれの表示領域について、例えば元の輝度に輝度の輝度値を乗算し、異なる領域種別それぞれの表示領域についての新たな輝度を算出する（ステップＳ５０９）。そして、その輝度により、メール閲覧画面を表示する（ステップＳ５１０）。
【０１０１】
図３９は第５の実施形態による表示装置の処理概要を示す第１の図である。
図３９では、表示画面においてウェブ閲覧画面Ｆが表示された際のユーザ操作による状態遷移を示しており、この状態遷移について説明する。なお、この例においてはポインタが含まれる行と当該行の隣接する前後１行の表示領域がユーザ注視エリアと特定される処理について説明する。
まずｐ１では、ウェブ内容表示部において、「ニュース」が表示される行にポインタが表示されているとする。すると、ポインタが指定する「ニュース」の表示した行と、当該行の前後１行がユーザ注視エリアと特定される。なおポインタの指定した行がウェブ内容表示部の最上部の行である場合には、当該ポインタの指定した行の前の行が存在しないので、ポインタが指定する行と、当該行の後１行がユーザ注視エリアとなる。またこのポインタが画像上にないと判定される。そして、ポインタが画像上にない時の各領域種別に応じた明るさレベルが明るさテーブルから読み取られ、ユーザ注視エリア（ポインタが指定する行と、当該行の後１行）が明るさレベル１、つまり元のウェブ閲覧画面の輝度に対する輝度値が１となる明るさで表示制御される。また画像は明るさレベル０．２５、つまり、元のウェブ閲覧画面の輝度に対する輝度値が０．２５となる明るさで表示制御される。またその他の領域は明るさレベル０．５、つまり、元のウェブ閲覧画面の輝度に対する輝度値が０．５となる明るさで表示制御される。またｐ２〜ｐ３、ｐ５〜ｐ７においてはユーザがポインタを移動させると、ｐ１での処理と同様に、ポインタの指定した行と、当該行の前後１行がユーザ注視エリアと特定され、またそれ以外の行が非ユーザ注視エリアと特定され、それぞれのエリアに応じた明るさレベルで表示制御される。なお操作ガイド表示部は常に明るさレベル１で表示制御される。
【０１０２】
またｐ４では、ポインタが画像上にある時の各領域種別に応じた明るさレベルが明るさテーブルから読み取られ、ウェブ内容表示部において画像、ポインタが明るさレベル１で表示制御される。またそれ以外のウェブ内容表示部の領域については、明るさレベル０．５で表示制御される。なお、第５の実施形態においては、画像上にポインタがない場合には、画像が明るさレベル０．２５で表示制御されているが、これに限らず、例えばポインタが表示分割エリア（ポインタの位置する行の前後Ｎ行などを表示分割エリアとする）を指定している場合に、当該エリアとこのエリアに含まれる画像をユーザ注視エリアとして明るさレベル１で表示制御するようにしてもよい。
【０１０３】
以上の処理により、ユーザのポインタの移動に基づいて、ユーザが注視していると思われる領域について明るく表示され、またユーザが注視しない他の部分については輝度を下げている。また画像についてもユーザがポインタを指定して注視している際に明るく表示する領域として特定される。また文字が表示されている領域であってユーザが注視していない領域については輝度を制限するだけで、ユーザに閲覧可能に表示されるているので、ユーザのウェブ閲覧に支障がでないように、輝度の制限をするとともに、その輝度の制限により消費電力を制限することができる。
【０１０４】
なお上述の表示装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、光ディスク、半導体メモリ等をいう。また、このコンピュータプログラムを通信回線によってコンピュータに配信し、この配信を受けたコンピュータが当該プログラムを実行するようにしても良い。
【０１０５】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１０６】
また、本実施例では、変更する輝度値をデフォルトの輝度に対する低減率で示している。そして、この低減率に基づいて表示用のデータに対して処理を行なっているが、この処理のほかにも、表示部に関する電流、電圧、発光している時間（デューティー比）などを制御して画面の輝度を変更する輝度値に基づいて下げる制御により実現しても良い。
また、本実施の表示装置は、バッテリー駆動の携帯端末に適用すると有効である。なお、携帯端末とは、例えば、携帯電話機、ＰＤＡ、携帯テレビ、ノート型ＰＣなどのバッテリー駆動装置などが挙げられる。
以上、実施の形態を挙げて本発明を説明したが、本発明は上記実施の形態に限定されるものではなく、本発明の精神及び意図を逸脱しない限り、種々変形が可能である。
【図面の簡単な説明】
【０１０７】
【図１】表示装置の構成を示すブロック図である。
【図２】第１の実施形態による表示画面上の表示領域を示す図である。
【図３】第１の実施形態による明るさテーブルを示す図である。
【図４】第１の実施形態による表示装置の処理フローである。
【図５】第１の実施形態による表示装置の処理概要を示す図である。
【図６】第２の実施形態による表示画面上の表示領域を示す図である。
【図７】第２の実施形態における明るさテーブルを示す図である。
【図８】第２の実施形態による表示装置の処理イメージを示す図である。
【図９】ユーザ注視エリアを説明する図である。
【図１０】第２の実施形態による表示装置の第１の処理フローを示す図である。
【図１１】第２の実施形態による表示装置の第２の処理フローを示す図である。
【図１２】第２の実施形態による表示装置の処理概要を示す第１の図である。
【図１３】第２の実施形態による表示装置の処理概要を示す第２の図である。
【図１４】第２の実施形態による表示装置の処理概要を示す第３の図である。
【図１５】第２の実施形態による表示装置の処理概要を示す第４の図である。
【図１６】第２の実施形態による表示装置の処理概要を示す第５の図である。
【図１７】第３の実施形態による表示画面上の表示領域を示す第１の図である。
【図１８】第３の実施形態による表示画面上の表示領域を示す第２の図である。
【図１９】第３の実施形態による表示画面上の表示領域を示す第３の図である。
【図２０】第３の実施形態による表示画面上の表示領域を示す第４の図である。
【図２１】第３の実施形態における明るさテーブルを示す図である。
【図２２】第３の実施形態による表示装置の第１の処理フローを示す図である。
【図２３】第３の実施形態によるフレーム明るさ決定処理フローを示す図である。
【図２４】第３の実施形態による表示装置の第２の処理フローを示す図である。
【図２５】第３の実施形態による表示装置の第３の処理フローを示す図である。
【図２６】画像明るさ決定処理フローを示す図である。
【図２７】リンク明るさ決定処理フローを示す図である。
【図２８】第３の実施形態による表示装置の処理概要を示す第１の図である。
【図２９】第３の実施形態による表示装置の処理概要を示す第２の図である。
【図３０】第３の実施形態による表示装置の処理概要を示す第３の図である。
【図３１】第３の実施形態による表示装置の処理概要を示す第４の図である。
【図３２】第４の実施形態による表示画面上の表示領域を示す図である。
【図３３】第４の実施形態における明るさテーブルを示す図である。
【図３４】第４の実施形態による表示装置の第１の処理フローを示す図である。
【図３５】第４の実施形態による表示装置の処理概要を示す第１の図である。
【図３６】第５の実施形態による表示画面上の表示領域を示す図である。
【図３７】第５の実施形態における明るさテーブルを示す図である。
【図３８】第５の実施形態による表示装置の第１の処理フローを示す図である。
【図３９】第５の実施形態による表示装置の処理概要を示す第１の図である。
【図４０】特許文献１の概要を示す第１の図である。
【符号の説明】
【０１０８】
１１・・・入力部
１２・・・制御部
１３・・・領域決定部
１４・・・発光輝度制御部
１５・・・表示制御部
１６・・・表示画面
１７・・・データベース
【図１】
2007150894.tif 000003
【図２】
2007150894.tif 000004
【図３】
2007150894.tif 000005
【図４】
2007150894.tif 000006
【図５】
2007150894.tif 000007
【図６】
2007150894.tif 000008
【図７】
2007150894.tif 000009
【図８】
2007150894.tif 000010
【図９】
2007150894.tif 000011
【図１０】
2007150894.tif 000012
【図１１】
2007150894.tif 000013
【図１２】
2007150894.tif 000014
【図１３】
2007150894.tif 000015
【図１４】
2007150894.tif 000016
【図１５】
2007150894.tif 000017
【図１６】
2007150894.tif 000018
【図１７】
2007150894.tif 000019
【図１８】
2007150894.tif 000020
【図１９】
2007150894.tif 000021
【図２０】
2007150894.tif 000022
【図２１】
2007150894.tif 000023
【図２２】
2007150894.tif 000024
【図２３】
2007150894.tif 000025
【図２４】
2007150894.tif 000026
【図２５】
2007150894.tif 000027
【図２６】
2007150894.tif 000028
【図２７】
2007150894.tif 000029
【図２８】
2007150894.tif 000030
【図２９】
2007150894.tif 000031
【図３０】
2007150894.tif 000032
【図３１】
2007150894.tif 000033
【図３２】
2007150894.tif 000034
【図３３】
2007150894.tif 000035
【図３４】
2007150894.tif 000036
【図３５】
2007150894.tif 000037
【図３６】
2007150894.tif 000038
【図３７】
2007150894.tif 000039
【図３８】
2007150894.tif 000040
【図３９】
2007150894.tif 000041
【図４０】
2007150894.tif 000042